(57)【要約】【課題】シート状の原稿を流し読みする際に、原稿給紙部から原稿排紙部に向かう原稿搬送路の曲率半径を大きくすることで原稿の搬送及び読取をスムーズ且つ確実にすると共に、コンパクト化が図られる画像読取装置を提供することである。【解決手段】プラテン３３及びこのプラテン３３面に沿ってブック型原稿の読取操作を行う可動読取部３４や光学センサ３８等を有する固定原稿読取手段２２と、この固定原稿読取手段２２を挟んだ上方にシート状の原稿３２を１枚ずつ給紙する原稿給紙部４１、下方に読取処理済の原稿３２を排紙する原稿排紙部４４、前記原稿給紙部４１と原稿排紙部４４との間にあって、原稿３２を垂直に搬送する垂直搬送部５２、この垂直搬送部５２を通過する原稿を読み取る固定読取部４３とを備えた移動原稿読取手段２３とで画像読取装置２１を構成した。【選択図】　　　図２
2004147196.tif 000002
【特許請求の範囲】
【請求項１】
透過性の原稿読取面及びこの原稿読取面に沿って原稿の読取操作を行う可動読取部を有する固定原稿読取手段と、
この固定原稿読取手段を挟んだ上下方向の一方に配設され、原稿を１枚ずつ給紙する原稿給紙部、前記固定原稿読取手段を挟んだ他方に配設され、読取処理済の原稿を排紙する原稿排紙部、前記原稿給紙部と原稿排紙部とを繋ぐ原稿搬送路、この原稿搬送路に設けられ、給紙されてきた原稿の画像を読み取る固定読取部を有する移動原稿読取手段とを備えたことを特徴とする画像読取装置。
【請求項２】
前記原稿給紙部が前記固定原稿読取手段の下方に配設されてなる請求項１記載の画像読取装置。
【請求項３】
前記原稿給紙部が前記固定原稿読取手段の上方に配設されてなる請求項１記載の画像読取装置。
【請求項４】
前記原稿搬送路は、前記原稿給紙部から給紙される原稿を略垂直方向に搬送する垂直搬送部を備えた請求項１記載の画像読取装置。
【請求項５】
前記垂直搬送部に固定読取部を設けた請求項４記載の画像読取装置。
【請求項６】
前記原稿搬送路は、原稿給紙部から原稿排紙部へ固定原稿読取手段を迂回して延設されてなる請求項１又は４記載の画像読取装置。
【請求項７】
前記可動読取部及び固定読取部が共通の画像読取センサを備えてなる請求項１又は５記載の画像読取装置。
【請求項８】
透過性の原稿読取面及びこの原稿読取面に沿って原稿の読取操作を行う可動読取部を有する固定原稿読取手段と、
この固定原稿読取手段を挟んだ上下方向の一方に配設され、原稿を１枚ずつ給紙する原稿給紙部、前記固定原稿読取手段を挟んだ他方に配設され、読取処理済の原稿を排紙する原稿排紙部、前記原稿給紙部と原稿排紙部とを繋ぐ原稿搬送路、この原稿搬送路に設けられ、給紙されてきた原稿の画像を読み取る固定読取部を有する移動原稿読取手段と、
複写シートを給紙する複写シート給紙部と、
前記移動原稿読取手段又は固定原稿読取手段によって読み取られた原稿の画像を前記複写シート給紙部から給紙された複写シート上に形成する画像形成部と、
この画像形成部によって画像形成された複写シートを排出する複写シート排紙部とを備えたことを特徴とする画像形成装置。
【発明の詳細な説明】
【０００１】
【発明の属する技術分野】
本発明は、ブック型の原稿を読み取る固定原稿読取機構と、原稿を１枚ずつ流し読みする移動原稿読取機構とを備えた画像読取装置及びこの画像読取装置を備えた画像形成装置に関するものである。
【０００２】
【従来の技術】
従来、図７に示すような複写機やスキャナ等に搭載されている画像読取装置１においては、光学系を有する画像読取部７を移動させて、画像形成装置１０の上面に備えるプラテン８面に静止した原稿を読み取る固定原稿読取手段２と、前記画像読取部７を静止し、この画像読取部７に向けて原稿を搬送しながら画像を読み取る移動原稿読取手段３とを備えている（特許文献１及び特許文献２参照）。前記構造の移動原稿読取手段３にあっては、上段に原稿を給紙する給紙トレイ４を配置し、下段に前記原稿を排紙する排紙トレイ５を配置し、前記給紙トレイ４と排紙トレイ５とが円弧状に形成された原稿搬送路６を介して連結されている。
【０００３】
【特許文献１】
特開平４−３６５２５９号公報
【特許文献２】
特開平１０−２２４５５３号公報
【０００４】
【発明が解決しようとする課題】
ところで、上記従来の画像読取装置１は、図７に示したように、移動原稿読取手段３が固定原稿読取手段２の上に設けられ、且つ上方向のスペースを抑える構造となっているため、原稿給紙トレイ４から画像読取部７を経て原稿排紙トレイ５に繋がる原稿搬送路６は曲率半径の小さなＵ字状に形成せざるを得ない。このため、前記原稿給紙トレイ４から給紙された原稿を原稿排紙トレイ５に搬送する際に、前記原稿搬送路６内での接触抵抗が大きくなり、原稿が傾いたまま搬送されるなどの搬送不良や紙詰まりを起こすおそれがあった。特に、原稿読取部７近傍における曲面部６ａの曲率半径が最も小さくなるため、原稿の読取不良が起こりやすく、また、紙粉が溜まってしまうといった問題もある。
【０００５】
上記問題を改善するために、前記特許文献１に示したような画像読取装置では、前記原稿給紙トレイと原稿排紙トレイとを所定間隔離して原稿搬送路の曲率半径を大きく設定することで、搬送される原稿の流れをスムーズにしているが、上下方向のスペースが必要となるために、小型化が図られないといった問題があった。
【０００６】
また、上記特許文献２に示した画像読取装置にあっては、原稿給紙トレイから原稿排紙トレイに至る原稿搬送路が直線状に延びているので、給紙された原稿の流れがスムーズになり、原稿の読取不良の発生を抑えることができるが、原稿給紙トレイあるいは原稿排紙トレイが装置の側方に突出してしまうために、幅方向の設置スペースを広く取らなければならない。
【０００７】
本発明は、このような現状に鑑みてなされたものであり、シート状の原稿を流し読みする際に、原稿給紙部から原稿排紙部に向かう原稿搬送路の曲率半径を大きくすることで原稿の搬送及び読取をスムーズ且つ確実にすると共に、画像読取装置全体のコンパクト化が図られる画像読取装置を提供することにある。
【０００８】
【課題を解決するための手段】
上記課題を解決するために、本発明の請求項１に係る画像読取装置は、透過性の原稿読取面及びこの原稿読取面に沿って原稿の読取操作を行う可動読取部を有する固定原稿読取手段と、この固定原稿読取手段を挟んだ上下方向の一方に配設され、原稿を１枚ずつ給紙する原稿給紙部、前記固定原稿読取手段を挟んだ他方に配設され、読取処理済の原稿を排紙する原稿排紙部、前記原稿給紙部と原稿排紙部とを繋ぐ原稿搬送路、この原稿搬送路に設けられ、給紙されてきた原稿の画像を読み取る固定読取部を有する移動原稿読取手段とを備えたことを特徴とする。
【０００９】
この発明によれば、移動原稿読取手段を構成する原稿給紙部と原稿排紙部との配設間隔を広く設定することで、前記原稿給紙部から原稿排紙部に至る原稿搬送路の曲率半径を大きくすることができる。これによって、前記原稿搬送路で原稿が受ける接触抵抗を低減し、スムーズに搬送されると共に、原稿の読取不良も低減することができる。また、配設間隔を広くした原稿給紙部と原稿排紙部との間のスペースに固定原稿読取手段を配設することで、縦方向の設置スペースを抑えたコンパクトな画像読取装置となる。
【００１０】
前記固定原稿読取手段を挟んだ上方に原稿給紙部を設けた場合は、原稿のセットが容易であり、逆に原稿排紙部を上方に設けた場合は、排紙した原稿の取り出しが容易となる。
【００１１】
また、前記原稿搬送路に垂直方向に直線状に延びる垂直搬送部を設けることで、原稿の搬送を抵抗なくスムーズにすることができ、さらに、原稿の画像を読み取る固定読取部を前記垂直搬送部に向けて設けることで、原稿の読取ブレを低減することができる。
【００１２】
また、前記原稿搬送路が固定原稿読取手段に接触しないように迂回して配設することで、前記固定原稿読取手段における画像の読取範囲を狭めることがなく、また、ブック型の原稿を載置するスペースも十分確保することができる。
【００１３】
また、可動読取部及び固定読取部における原稿画像の読取操作を単一の画像読取センサで切り換えて実行させることも可能である。このように、画像読取センサを共有化することで構成部品を少なくし、コストの低減化が図られる。
【００１４】
また、本発明の画像形成装置は、透過性の原稿読取面及びこの原稿読取面に沿って原稿の読取操作を行う可動読取部を有する固定原稿読取手段と、この固定原稿読取手段を挟んだ上下方向の一方に配設され、原稿を１枚ずつ給紙する原稿給紙部、前記固定原稿読取手段を挟んだ他方に配設され、読取処理済の原稿を排紙する原稿排紙部、前記原稿給紙部と原稿排紙部とを繋ぐ原稿搬送路、この原稿搬送路に設けられ、給紙されてきた原稿の画像を読み取る固定読取部を有する移動原稿読取手段と、複写シートを給紙する複写シート給紙部と、前記移動原稿読取手段又は固定原稿読取手段によって読み取られた原稿の画像を前記複写シート給紙部から給紙された複写シート上に形成する画像形成部と、この画像形成部によって画像形成された複写シートを排出する複写シート排紙部とを備えた。
【００１５】
【発明の実施の形態】
以下、添付図面に基づいて、本発明に係る画像読取装置及び画像形成装置の実施形態を詳細に説明する。
【００１６】
図１及び図２は、本発明に係る画像読取装置２１の構成を示したものである。ここで、図１はブック型の原稿の読み取りを行う固定原稿読取モードにおける形態で、図２は原稿を１枚ずつ流し読みする移動原稿読取モードにおける形態を示したものである。この画像読取装置２１は、画像形成装置１０の上方に設けられるもので、前記ブック型の原稿に対応する固定原稿読取手段２２と、シート状の原稿の流し読みに対応する移動原稿読取手段２３とを備えている。
【００１７】
前記固定原稿読取手段２２は、図１に示したように、原稿載置台３１と、この原稿載置台３１上に載置されたブック型の原稿３２を挟んだ上方に配置される透過性の原稿読取部（プラテン３３）と、このプラテン３３面に沿って移動しながら前記原稿３２面の読取走査を行う光学系の可動読取部３４、集光レンズ３７、光学センサ３８等を備えた画像読取ユニット２４とで構成されている。前記原稿載置台３１は、図１に示されるような厚みのあるブック型の原稿３２を載置したときに、見開いた読取面が前記プラテン３３に無理なく密着させるために、表紙部と背表紙部がそれぞれの自重によって撓み変形可能になるように３つの載置部に分割されている。
【００１８】
可動読取部３４は、前記プラテン３３の上面に沿って移動する可動光源３５と、この可動光源３５によって照射した光の反射像を受けて所定の方向に集光させる複数のミラー群３６を備えており、このミラー群３６によって偏向した光を集光レンズ３７で集光し、光学センサ３８によって光学像を電気信号に変換している。
【００１９】
一方、移動原稿読取手段２３は、図２に示したように、原稿を給紙する原稿給紙部４１と、前記給紙された原稿を搬送しながら読み取る原稿搬送部４２及び固定読取部４３と、読取処理済の原稿を排紙する原稿排紙部４４とで構成される。前記原稿給紙部４１は、図１に示されるように、シート状の原稿をセットする給紙トレイ４５と、この給紙トレイ４５から原稿を１枚ずつ原稿搬送部４２へ向けて繰り出す繰り出しローラ４７、給紙ローラ４８を備えている。
【００２０】
原稿搬送部４２は、前記給紙トレイ４５から略９０度カーブした第１の曲線搬送部５１と、この第１の曲線搬送部５１から略垂直に下方向に延びる垂直搬送部５２と、この垂直搬送部５２の下端から水平に配設された排紙トレイ４６に略９０度カーブして繋がる第２の曲線搬送部５３と、所定間隔ごとに配置された搬送ローラ４９を備え、前記固定原稿読取手段２２を迂回するようにコ字状に構成される。
【００２１】
前記固定読取部４３は、前記画像読取ユニット２４の側面に設けられ、前記垂直搬送部５２に向けた所定の位置に固定される。この固定読取部４３は、前記原稿給紙部４１から搬送されてくる原稿面に光を照射する固定光源５４と、この固定光源５４によって照射された原稿の反射像を所定の方向に偏向させるミラー群５６とを備えている。図２に示したように、この固定読取部４３を使用した移動原稿読取モードで原稿読みをする場合は、ミラー群５６と可動読取部３４とが画像読取ユニット２４の固定光源５４側に寄せられ、この画像読取ユニット２４内に備える共用の集光レンズ３７に集光するように位置決めされる。このようにして集光レンズ３７で集光された光は、ＣＣＤラインセンサ等で構成された光学センサ３８によって光の像が電気信号に変換される。そして、この光学センサ３８で読み取り、電気信号に変換された原稿画像データは、後述する画像形成部へ送られ、複写紙上に画像形成される。
【００２２】
原稿排紙部４４は、前記固定原稿読取手段２２の下方に所定の間隔を設けて配設される排紙トレイ４６と、画像読取済の原稿を繰り出す排紙ローラ５７を備えている。前記固定読取部４３で画像読取処理済の原稿は、前記第２の曲線搬送部５３から前記排紙ローラ５７を介して排紙トレイ４６に収容される。
【００２３】
次に、前記固定原稿読取モード及び移動原稿読取モードにおける動作を図３乃至図５に基づいて説明する。ここで、図３は前記画像読取装置２１を備えた画像形成装置１０の全体を示す斜視図であり、図４は画像形成装置１０の正面図、図５は画像形成装置１０の側面図である。
【００２４】
図３乃至図５に示したように、固定原稿読取手段２２は、原稿載置台３１と、この原稿載置台３１を移動させるスライドベルト６２と、このスライドベルト６２を駆動させる一対のプーリ６３ａ，６３ｂとからなる移動機構によって、装置本体１１から水平方向に引き出し可能となっている。また、移動原稿読取手段２３は、支持柱６４を介して装置本体１１に取り付けられており、支持柱６４に形成されている噛み歯６５と、前記一方のプーリ６３ａとが勘合し合うことで昇降可能な構成になっている。したがって、前記原稿載置台３１の引き出し動作に連動して移動原稿読取手段２３が上昇するので、原稿の交換や画像読取頁をめくるといった操作が容易となる。
【００２５】
前記図３に示した装置本体１１には、画像形成部（図示せず）と、複写紙を収容し、前記画像形成部に向けて給紙する複写紙給紙部６７を備えている。そして、前記画像読取装置２１によって読取処理された画像データは、前記画像形成部によって、複写紙上に画像形成される。
【００２６】
図６に示す画像読取装置６１は、画像読取ユニット２４を挟んだ上方に原稿排紙部４４、下方に原稿給紙部４１を配置して構成したものである。このような構成からなる画像読取装置６１は、前記図１及び図２で示した画像読取装置２１の原稿給紙部４１と原稿排紙部４４を逆転配置したものであり、原稿給紙部４１及び原稿排紙部４４を構成する給紙機構及び排紙機構は同様な構造となっている。ただし、原稿は下から上へと流れるため、給紙ローラや排紙ローラの回転制御が異なる。この画像読取装置６１によれば、排紙トレイ４６が上面に露出しているので、画像読取済の原稿シートの取り出しが容易になる。
【００２７】
次に、前記画像読取装置２１を備えた画像形成装置１０における一連の読取動作を説明する。最初に画像形成装置１０の電源を投入すると、固定原稿読取手段２２と移動原稿読取手段２３のどちらで原稿の読取処理するかが自動判別される。この自動判別は、原稿が給紙トレイ４５上に載置されているかどうかを原稿給紙部４１に備えられている給紙センサ（図示せず）で検知することによって行われる。この検知によって、原稿が載置されていることが確認された場合は、移動原稿読取手段２３による読取処理に移行し、原稿が確認されなかった場合は、固定原稿読取手段２２による読取処理の準備に入る。
【００２８】
前記移動原稿読取手段２３が選択された場合は、次に、画像読取ユニット２４の位置を検知し、プラテン３３上に置かれた状態であることが確認できたとき、前記移動原稿読取手段２３による読取操作が可能となる。この移動原稿読取手段２３においては、ユーザーが画像形成装置１０の操作パネルに備える読取ボタンを押すことで、前記画像読取ユニット２４内のミラー群５６及び可動読取手段３４が原稿搬送部４２側に移動して所定のホームポジションに静止する。そして、繰り出しローラ４７、給紙ローラ４８によって給紙トレイ４５から原稿を原稿搬送部４２に送り出し、画像の読取処理を行った後、排紙トレイ４６に排紙するといった一連の動作を前記給紙トレイ４５上にセットされた枚数分繰り返して行う。
【００２９】
一方、固定原稿読取手段２２によって読取操作を行う場合は、図３及び図５に示したように、原稿載置台３１を引き出す。この引き出し動作に連動して前記画像読取ユニット２４が上昇する。次に、前記引き出された原稿載置台３１にステープルされた原稿や製本された書籍類の所定のページを上向きに広げてセットする。このようにしてセットした後、原稿載置台３１を元の位置に引き戻す。この引き戻し動作に連動して前記画像読取ユニット２４が下降し、前記原稿をプラテン３３面に押し付ける。そして、ユーザーが画像形成装置１０の操作パネルに備える読取ボタンを押すことで、前記画像読取ユニット２４内の可動読取部３４がプラテン３３の上面を走査し、原稿の画像が読み取られる。
【００３０】
以上説明したように、本発明の画像読取装置によれば、移動原稿読取手段に備える原稿給紙部と原稿排紙部との配設間隔を広く設定したことで、前記原稿給紙部から原稿排紙部に至る原稿搬送路の曲面部の曲率半径を大きくすることができる。これによって、原稿搬送路で原稿が受ける接触抵抗を低減し、スムーズに原稿が搬送されると共に、原稿の読取不良も低減させることができる。また、配設間隔を広くした原稿給紙部と原稿排紙部との間のスペースに固定原稿読取手段を配設することで、縦方向の設置スペースを抑えたコンパクトな構造の画像読取装置の実現が可能となった。
【図面の簡単な説明】
【図１】本発明に係る画像読取装置を固定原稿読取モードで使用する場合の形態を示す要部断面図である。
【図２】本発明に係る画像読取装置を移動原稿読取モードで使用する場合の形態を示す要部断面図である。
【図３】上記画像読取装置を備えた画像形成装置の斜視図である。
【図４】上記画像読取装置における固定原稿読取機構と画像読取ユニット昇降機構を備えた画像形成装置の正面図である。
【図５】上記画像形成装置の側面図である。
【図６】上記画像読取装置の他の実施形態を示す断面図である。
【図７】従来の画像読取装置の断面図である。
【符号の説明】
１０　画像形成装置
１１　装置本体
２１，６１　画像読取装置
２２　固定原稿読取手段
２３　移動原稿読取手段
２４　画像読取ユニット
３１　原稿載置台
３２　原稿
３３　プラテン
３４　可動読取部
４１　原稿給紙部
４２　原稿搬送部
４３　固定読取部
４４　原稿排紙部
５２　垂直搬送部
【図１】
2004147196.tif 000003
【図２】
2004147196.tif 000004
【図３】
2004147196.tif 000005
【図４】
2004147196.tif 000006
【図５】
2004147196.tif 000007
【図６】
2004147196.tif 000008
【図７】
2004147196.tif 000009